(57)【要約】【課題】ユーザの気分に合わせた商品を提案することができる広告システムを提供することである。【解決手段】サーバは、入力端末装置からの要求を受け付けると、本日の前日の日付に該当するしあわせ度と日記とを取得する（Ｓ４３）。そして、しあわせ度と日記とからユーザに対するキーワードとなる単語を抽出する（Ｓ４４）。そして、商品のキーワードを抽出し（Ｓ４５）、ユーザのキーワードと商品のキーワードとが一致するか否かを判断する（Ｓ４６）。一致すると判断すると（Ｓ４６において、ＹＥＳ）、商品「色鉛筆」の商品のデータとして、商品名「色鉛筆」や、商品の画像等を取得する（Ｓ４７）。そして、取得した商品のデータから、商品を提案するための商品提案画面を作成し（Ｓ４８）、作成した商品提案画面を返信する（Ｓ４９）。入力端末装置は、サーバから返信された商品提案画面を表示画面に表示する（Ｓ５０）。【選択図】図６
0003152026.tif 000002
【実用新案登録請求の範囲】
【請求項１】
ユーザによって操作される入力端末装置と、前記入力端末装置とインターネットを介して接続可能なサーバとを備える広告システムであって、
前記入力端末装置は、
ユーザに関するものであって、ユーザの気分を示す度合を含むユーザのデータの入力を受け付ける受付手段と、
前記受付手段により受け付けた前記ユーザのデータを前記サーバに送信する端末側送信手段と、
前記サーバから送信された画面を表示する表示手段とを含み、
前記サーバは、
前記端末側送信手段によって送信された前記ユーザのデータを保存する第１の保存手段と、
前記第１の保存手段により保存した前記ユーザのデータから、ユーザに対するキーワードを抽出する第１の抽出手段と、
ユーザに提案する商品のデータを保存する第２の保存手段と、
前記第２の保存手段により保存した前記商品のデータから、商品に対するキーワードを抽出する第２の抽出手段と、
前記第１の抽出手段により抽出した前記ユーザに対するキーワードと、前記第２の抽出手段により抽出した前記商品に対するキーワードとが一致するか否かを判断する判断手段と、
前記判断手段により一致したと判断した場合に、商品を提案するための商品提案画面を作成する画面作成手段と、
前記画面作成手段により作成した前記商品提案画面を前記入力端末装置に送信するサーバ側送信手段とを含む、広告システム。
【請求項２】
前記画面作成手段は、前記第１の保存手段により保存した前記ユーザのデータの中から前記ユーザの気分を示す度合を用いて、グラフ画像を作成するグラフ画像作成手段を含む、請求項１に記載の広告システム。
【請求項３】
前記ユーザの気分の度合は、複数の段階で示されており、
前記受付手段は、前記複数の段階の中から所望の段階を選択させる選択手段を含む、請求項１または２に記載の広告システム。
【請求項４】
ユーザによって操作される入力端末装置であって、
ユーザに関するものであって、ユーザの気分を示す度合を含むユーザのデータの入力を受け付ける受付手段と、
前記受付手段により受け付けた前記ユーザのデータを外部に送信する端末側送信手段と、
外部から送信された画面を表示する表示手段とを含む、入力端末装置。
【請求項５】
インターネットに接続されるサーバであって、
外部から送信され、ユーザに関するものであって、ユーザの気分を示す度合を含むユーザのデータを保存する第１の保存手段と、
前記第１の保存手段により保存した前記ユーザのデータから、ユーザに対するキーワードを抽出する第１の抽出手段と、
ユーザに提案する商品のデータを保存する第２の保存手段と、
前記第２の保存手段により保存した前記商品のデータから、商品に対するキーワードを抽出する第２の抽出手段と、
前記第１の抽出手段により抽出した前記ユーザに対するキーワードと、前記第２の抽出手段により抽出した前記商品に対するキーワードとが一致するか否かを判断する判断手段と、
前記判断手段により一致したと判断した場合に、商品を提案するための商品提案画面を作成する画面作成手段と、
前記画面作成手段により作成した前記商品提案画面を外部に送信するサーバ側送信手段とを含む、サーバ。
【考案の詳細な説明】
【技術分野】
【０００１】
この考案は、広告システム、入力端末装置およびサーバに関するものであり、特に、インターネットを利用して商品の提案を行う広告システム、入力端末装置およびサーバに関するものである。
【背景技術】
【０００２】
昨今では、インターネットの普及に伴い、インターネットを利用して商品の提案を行う機会が増えている。このように、インターネットを利用して商品の提案を行う技術は、例えば、特開２００９−４２７９７号公報（特許文献１）に開示されている。
【０００３】
特許文献１によると、インターネットのホームページ上に商品を掲載し、掲載した時間に応じて、掲載した商品の価格をリアルタイムで変動させる。これにより、ユーザの購買意欲を促進することとしている。
【先行技術文献】
【特許文献】
【０００４】
【特許文献１】特開２００９−４２７９７号公報
【考案の概要】
【考案が解決しようとする課題】
【０００５】
しかし、特許文献１に開示の技術では、掲載した商品の価格を変動させるのみであるため、ユーザの好む商品と異なる商品を掲載している場合には、購買意欲を促進することは困難になってしまう。
【０００６】
この考案の目的は、ユーザの気分に合わせた商品を提案することができる広告システムを提供することである。
【０００７】
この考案の他の目的は、ユーザの気分に合わせた商品を提案することができる入力端末装置を提供することである。
【０００８】
この考案のさらに他の目的は、ユーザの気分に合わせた商品を提案することができるサーバを提供することである。
【課題を解決するための手段】
【０００９】
この考案に係る広告システムは、ユーザによって操作される入力端末装置と、入力端末装置とインターネットを介して接続可能なサーバとを備える。入力端末装置は、ユーザに関するものであって、ユーザの気分を示す度合を含むユーザのデータの入力を受け付ける受付手段と、受付手段により受け付けたユーザのデータをサーバに送信する端末側送信手段と、サーバから送信された画面を表示する表示手段とを含む。サーバは、端末側送信手段によって送信されたユーザのデータを保存する第１の保存手段と、第１の保存手段により保存したユーザのデータから、ユーザに対するキーワードを抽出する第１の抽出手段と、ユーザに提案する商品のデータを保存する第２の保存手段と、第２の保存手段により保存した商品のデータから、商品に対するキーワードを抽出する第２の抽出手段と、第１の抽出手段により抽出したユーザに対するキーワードと、第２の抽出手段により抽出した商品に対するキーワードとが一致するか否かを判断する判断手段と、判断手段により一致したと判断した場合に、商品を提案するための商品提案画面を作成する画面作成手段と、画面作成手段により作成した商品提案画面を入力端末装置に送信するサーバ側送信手段とを含む。
【００１０】
好ましくは、画面作成手段は、第１の保存手段により保存したユーザのデータの中からユーザの気分を示す度合を用いて、グラフ画像を作成するグラフ画像作成手段を含む。
【００１１】
さらに好ましくは、ユーザの気分の度合は、複数の段階で示されており、受付手段は、複数の段階の中から所望の段階を選択させる選択手段を含む。
【００１２】
この考案の他の局面においては、ユーザによって操作される入力端末装置に関する。そして、ユーザに関するものであって、ユーザの気分を示す度合を含むユーザのデータの入力を受け付ける受付手段と、受付手段により受け付けたユーザのデータを外部に送信する端末側送信手段と、外部から送信された画面を表示する表示手段とを含む。
【００１３】
この考案のさらに他の局面においては、インターネットに接続されるサーバに関する。そして、外部から送信され、ユーザに関するものであって、ユーザの気分を示す度合を含むユーザのデータを保存する第１の保存手段と、第１の保存手段により保存したユーザのデータから、ユーザに対するキーワードを抽出する第１の抽出手段と、ユーザに提案する商品のデータを保存する第２の保存手段と、第２の保存手段により保存した商品のデータから、商品に対するキーワードを抽出する第２の抽出手段と、第１の抽出手段により抽出したユーザに対するキーワードと、第２の抽出手段により抽出した商品に対するキーワードとが一致するか否かを判断する判断手段と、判断手段により一致したと判断した場合に、商品を提案するための商品提案画面を作成する画面作成手段と、画面作成手段により作成した商品提案画面を外部に送信するサーバ側送信手段とを含む。
【考案の効果】
【００１４】
この考案に係る広告システムは、ユーザのデータに基づいて、商品の提案を行う。このユーザのデータは、ユーザに関するものであって、ユーザの気分を示す度合を含む。その結果、ユーザの気分に合わせた商品を提案することができる。
【００１５】
また、この考案に係る入力端末装置は、ユーザに関するものであって、ユーザの気分を示す度合を含むユーザのデータを外部に送信することができるため、外部において、送信したデータを利用して、ユーザの気分に合わせた商品を提案することができる。
【００１６】
また、この考案に係るサーバは、ユーザのデータに基づいて、商品の提案を行う。このユーザのデータは、ユーザに関するものであって、ユーザの気分を示す度合を含む。その結果、ユーザの気分に合わせた商品を提案することができる。
【図面の簡単な説明】
【００１７】
【図１】この考案の一実施形態に係る広告システムを示すブロック図である。
【図２】ユーザのデータを入力するための入力画面を表示画面に表示する場合について示すフローチャートである。
【図３】表示された入力画面にユーザのデータを入力され、入力されたユーザのデータを保存する場合について示すフローチャートである。
【図４】保存したユーザのデータの内容をグラフ表示する場合について示すフローチャートである。
【図５】表示画面にグラフ画像としあわせアドバイスとを表示した場合を示す図である。
【図６】商品の提案を行うための商品提案画面を表示画面に表示する場合について示すフローチャートである。
【図７】表示画面に商品提案画面を表示した場合を示す図である。
【考案を実施するための形態】
【００１８】
以下、この考案の一実施形態について、図面を参照して説明する。図１は、この考案の一実施形態に係る広告システム１０を示すブロック図である。図１を参照して、広告システム１０は、入力端末装置１１と、サーバ１２とを備える。入力端末装置１１とサーバ１２とは、インターネットを介して接続されている。そして、データの送受信を相互に行う。
【００１９】
入力端末装置１１は、ユーザによって操作されるものであって、例えば、携帯電話や、コンピュータ（パソコン）が該当する。入力端末装置１１は、ＣＰＵ（中央処理装置）を含み、入力端末装置１１全体を制御する端末側制御部１３と、画面の表示を行うディスプレイ等の表示画面１４と、ユーザからデータの入力を受け付けたり、表示画面１４に画面の表示を行うよう指示を受け付けたり、ユーザとのインターフェースとなるキーボード等の操作部１５と、ネットワークに接続するためのネットワークＩＦ（インターフェース）部１６とを備える。
【００２０】
サーバ１２は、ＣＰＵを含み、サーバ１２全体を制御するサーバ側制御部１７と、データの保存を行うハードディスク等の第１、第２、および第３の記憶部１８，１９，２０と、ネットワークに接続するためのネットワークＩＦ部２１とを備える。
【００２１】
第１の記憶部１８には、ユーザに関するユーザのデータが保存される。ユーザのデータとは、ユーザによって入力されるデータであって、日付、しあわせ度、日記等の文章、およびユーザの健康状態を示すデータとしての体重、基礎体温、摂取カロリー等を含む構成である。これらのユーザのデータは、日付毎に複数保存される。ここで、しあわせ度とは、ユーザの気分を示す度合であって、例えば、しあわせと感じる度合を示したものである。しあわせ度は、複数の段階、例えば、５段階で示されており、しあわせ度が１の場合には、しあわせと感じる度合が最も低く、しあわせ度が５の場合には、しあわせと感じる度合が最も高い。
【００２２】
また、第２の記憶部１９には、複数の商品のデータが保存される。商品のデータとは、ユーザに提案する商品に関するデータであって、商品名、商品の画像、商品の価格、および商品に対するコメント等を含む構成である。また、商品のデータは、商品を表現する商品に対するキーワードとなる単語を含む構成である。例えば、商品が「皿」である場合、商品のキーワードは「サラダ」である。ここで、第２の記憶部１９は、第２の保存手段として作動する。
【００２３】
また、第３の記憶部２０には、入力端末装置１１の表示画面１４に表示する画面のデータやしあわせアドバイスが保存される。ここで、しあわせアドバイスとは、上記したしあわせ度に基づく文章であって、しあわせ度毎に複数のアドバイスが保存される。例えば、しあわせ度１に基づくアドバイスとしては「明日には沢山シアワセになれますように」や「良い事が無かった時こそ、笑顔を大切にしてください」等が挙げられる。しあわせ度２に基づくアドバイスとしては「今日よりも明日、明日よりも明後日。シアワセは必ず見つけられますから焦らずに」や「暖かいお風呂に浸かってリラックスしたら今日は柔らかいお布団で寝ちゃいましょう」等が挙げられる。しあわせ度３に基づくアドバイスとしては「小さいシアワセに気付いてますか？次はもっといい日でありますように」や「何事も普通が一番・・・なんていいますがもっともっと素敵な毎日になるように頑張りましょう」等が挙げられる。しあわせ度４に基づくアドバイスとしては「シアワセはなれるものじゃなくてなるものです！明日も沢山のシアワセを見つけましょう」や「楽しい毎日ですね。でも、まだまだ楽しみは沢山ありますよ」等が挙げられる。しあわせ度５に基づくアドバイスとしては「沢山シアワセになれたあなたは、誰かをシアワセにしたりもしていますよ！シアワセが続きますように」や「最近しあわせ度が上がり続けて絶好調ですね。この調子で毎日過ごしていきましょう！」等が挙げられる。
【００２４】
ここで、第１の記憶部１８に、ユーザのデータを保存する場合について説明する。図２は、ユーザのデータを入力するための入力画面を表示画面１４に表示する場合について示すフローチャートである。図３は、表示された入力画面にユーザのデータを入力され、入力されたユーザのデータを保存する場合について示すフローチャートである。まず、図１〜図２を参照して、ユーザのデータを入力するための入力画面を表示画面１４に表示する場合について説明する。
【００２５】
まず、入力端末装置１１は、ユーザによって操作部１５から操作されることにより、ユーザのデータを入力するための入力画面を表示画面１４に表示するよう要求を受け付ける（図２において、ステップＳ１１、以下ステップを省略する）。そうすると、入力端末装置１１は、サーバ１２に対して、入力画面を要求する（Ｓ１２）。
【００２６】
サーバ１２は、入力端末装置１１からの要求を受け付けて、第３の記憶部２０より入力画面を返信する（Ｓ１３）。入力端末装置１１は、サーバ１２から返信された入力画面を表示画面１４に表示する（Ｓ１４）。
【００２７】
次に、図１〜図３を参照して、表示された入力画面にユーザのデータを入力され、入力されたユーザのデータを保存する場合について説明する。
【００２８】
まず、入力端末装置１１は、Ｓ１４において表示した入力画面に対して、ユーザによって操作部１５から操作されることにより、ユーザのデータの入力を受け付ける（図３において、Ｓ２１）。ここで、操作部１５は、受付手段として作動する。ユーザのデータとは、この実施形態においては、本日の日付、しあわせ度、日記、および体重を含む構成である。また、しあわせ度の入力においては、５段階の中からその日の気分に該当する所望の段階のしあわせ度を選択させることにより、入力を受け付ける。すなわち、５段階の中からユーザの気分を示す度合を選択させることにより、入力を受け付ける。ここで、表示画面１４は、選択手段として作動する。そして、入力端末装置１１は、サーバ１２に対して、入力されたユーザのデータを送信する（Ｓ２２）。ここで、端末側制御部１３は、端末側送信手段として作動する。
【００２９】
サーバ１２は、入力端末装置１１からの送信を受け付けて、ユーザのデータを第１の記憶部１８に保存する（Ｓ２３）。ここで、第１の記憶部１８は、第１の保存手段として作動する。そして、第３の記憶部２０より、保存の処理が正常に終了した旨を示す保存結果画面を返信する（Ｓ２４）。入力端末装置１１は、サーバ１２から返信された保存結果画面を表示画面１４に表示する（Ｓ２５）。
【００３０】
次に、保存したユーザのデータを利用して、商品を提案する場合について説明する。図４は、保存したユーザのデータの内容をグラフ表示する場合について示すフローチャートである。図６は、商品の提案を行うための商品提案画面を表示画面１４に表示する場合について示すフローチャートである。まず、図１〜図４を参照して、保存したユーザのデータの内容をグラフ表示する場合について説明する。
【００３１】
まず、入力端末装置１１は、ユーザによって操作部１５から操作されることにより、しあわせ度等の入力した内容に関して、グラフ表示するよう要求を受け付ける（図４において、Ｓ３１）。そうすると、入力端末装置１１は、サーバ１２に対して、グラフ画像を要求する（Ｓ３２）。
【００３２】
サーバ１２は、入力端末装置１１からの要求を受け付けて、第１の記憶部１８より、所定の範囲の日付と、その各日付に該当するしあわせ度および体重を取得する（Ｓ３３）。例えば、処理を行う本日が４月１日である場合には、３月１日から３月３１日までの１ヶ月間の日付と、その各日付に該当するしあわせ度および体重を取得する。このとき、取得する所定の範囲の日付は、予め設定されたものであって、例えば、上記したように、本日の１ヶ月前から本日の前日までである。そして、取得した日付としあわせ度と体重とを用いて、グラフ画像を作成する（Ｓ３４）。ここで、サーバ側制御部１７は、グラフ画像作成手段として作動する。
【００３３】
また、第３の記憶部２０に保存されている複数のしあわせアドバイスの中から、しあわせ度に基づくしあわせアドバイスの抽出を行う（Ｓ３５）。このとき、既に抽出したしあわせアドバイスを重複して抽出しないよう、抽出した履歴等を参照して行う。
【００３４】
ここで、抽出の際に基となるしあわせ度は、例えば、本日の日付に該当するしあわせ度を採用する。この場合、例えば、本日の日付に該当するしあわせ度が未入力の場合には、本日の日付に該当するしあわせ度を予想して、予想したしあわせ度に基づくしあわせアドバイスの抽出を行う。すなわち、予想したしあわせ度が５である場合には、しあわせ度５に基づくしあわせアドバイス「最近しあわせ度が上がり続けて絶好調ですね。この調子で毎日過ごしていきましょう！」を抽出する。そして、作成したグラフ画像と抽出したしあわせアドバイスとを返信する（Ｓ３６）。
【００３５】
入力端末装置１１は、サーバ１２から返信されたグラフ画像としあわせアドバイスとを表示画面１４に表示する（Ｓ３７）。図５は、表示画面１４にグラフ画像２１としあわせアドバイス２２とを表示した場合を示す図である。図５を参照して、折れ線グラフでしあわせ度を示し、棒グラフで体重を示している。また、横軸で日付を示し、縦軸でしあわせ度の度合および体重の重さを示している。これにより、保存したデータの内容をグラフ画像に示すため、ユーザにとって、体重等が変化する様子をわかりやすいものとすることができる。
【００３６】
次に、図１〜図６を参照して、商品の提案を行うための商品提案画面を表示画面１４に表示する場合について説明する。
【００３７】
まず、入力端末装置１１は、ユーザによって操作部１５から操作されることにより、Ｓ３７において示したグラフ表示およびしあわせアドバイスに合わせて、商品の提案を行うための商品提案画面を表示画面１４に表示するよう要求を受け付ける（図６において、Ｓ４１）。そうすると、入力端末装置１１は、サーバ１２に対して、商品提案画面を要求する（Ｓ４２）。
【００３８】
サーバ１２は、入力端末装置１１からの要求を受け付けて、Ｓ３５と同様に、本日の日付に該当するしあわせ度が未入力のため、第１の記憶部１８より、本日の前日の日付に該当するしあわせ度と日記とを取得する（Ｓ４３）。そして、しあわせ度と日記とからユーザに対するキーワードとなる単語を抽出する（Ｓ４４）。ここで、サーバ側制御部１７は、第１の抽出手段として作動する。例えば、しあわせ度が５であって、日記が「今日はハッピーな１日でした」である場合に、キーワードとなる単語として「ハッピー」を抽出する。そして、抽出したユーザのキーワード「ハッピー」を用いて、第２の記憶部１９より、商品のデータを取得する。
【００３９】
具体的には、商品のデータは、上記したように商品に対する商品のキーワードとなる単語を含む構成である。これにより、商品のキーワードを抽出し（Ｓ４５）、ユーザのキーワードと商品のキーワードとが一致するか否かを判断する（Ｓ４６）。例えば、商品「色鉛筆」の商品のキーワードが「ハッピー」である場合、商品のキーワード「ハッピー」を抽出し、ユーザのキーワード「ハッピー」と、商品のキーワード「ハッピー」とが一致するか否かを判断する。ここで、サーバ側制御部１７は、第２の抽出手段および判断手段として作動する。
【００４０】
この場合「ハッピー」で一致することから（Ｓ４６において、ＹＥＳ）、商品「色鉛筆」の商品のデータとして、商品名「色鉛筆」や、商品の画像等を取得する（Ｓ４７）。
【００４１】
そして、取得した商品のデータから、商品を提案するための商品提案画面を作成する（Ｓ４８）。作成においては、商品のデータには、商品の画像、および商品に対するコメントが合わせて保存されているため、これらを用いて商品提案画面を作成する。ここで、サーバ側制御部１７は、画面作成手段として作動する。そして、作成した商品提案画面を返信する（Ｓ４９）。ここで、サーバ側制御部１７は、サーバ側送信手段として作動する。入力端末装置１１は、サーバ１２から返信された商品提案画面を表示画面１４に表示する（Ｓ５０）。ここで、表示画面１４は、表示手段として作動する。図７は、表示画面１４に商品提案画面を表示した場合を示す図である。図７を参照して、商品の画像２３および商品に対するコメント２４が表示される。
【００４２】
なお、Ｓ４６において、一致しない場合には（Ｓ４６において、ＮＯ）、異なる次の他の商品に進み（Ｓ５１）、Ｓ４５から同様に処理を行う。
【００４３】
このように、広告システム１０は、ユーザのデータに基づいて、商品の提案を行う。このユーザのデータは、ユーザに関するものであって、ユーザの気分を示す度合を含む。その結果、ユーザの気分に合わせた商品を提案することができる。
【００４４】
また、入力端末装置１１は、ユーザに関するものであって、ユーザの気分を示す度合を含むユーザのデータを外部、ここでは、サーバに送信することができるため、外部において、送信したデータを利用して、ユーザの気分に合わせた商品を提案することができる。
【００４５】
また、サーバ１２は、ユーザのデータに基づいて、商品の提案を行う。このユーザのデータは、ユーザに関するものであって、ユーザの気分を示す度合を含む。その結果、ユーザの気分に合わせた商品を提案することができる。
【００４６】
なお、上記の実施の形態においては、ユーザのデータは、日付、しあわせ度、日記等の文章、およびユーザの健康状態を示すデータとしての体重、基礎体温、摂取カロリー等を含む構成である例について説明したが、これに限ることなく、ユーザの都合に応じて任意の他のデータを含む構成としてもよい。また、商品のデータにおいても同様に、任意の他のデータを含む構成としてもよい。
【００４７】
また、上記の実施の形態においては、Ｓ３４においてグラフの作成を行う際に、処理を行う本日以前の日付のデータを取得する例について説明したが、これに限ることなく、例えば、本日以降のしあわせ度等を予想することにより、本日以降の日付の予想したしあわせ度等を用いてグラフの作成を行ってもよい。
【００４８】
また、上記の実施の形態においては、Ｓ３５においてしあわせアドバイスの抽出を行う際に、本日の日付に該当するしあわせ度が未入力であって、予想したしあわせ度に基づいて抽出する例について説明したが、これに限ることなく、本日の前日の日付に該当するしあわせ度に基づいて抽出してもよいし、過去１週間分の平均のしあわせ度に基づいて抽出してもよい。また、本日の日付に該当するしあわせ度が入力済みである場合には、本日の日付に該当するしあわせ度に基づいて抽出してもよいし、任意に変更可能である。
【００４９】
また、上記の実施の形態においては、Ｓ４３において商品提案画面を作成する際に、本日の日付に該当するしあわせ度が未入力であって、本日の前日の日付に該当するしあわせ度と日記とを取得する例について説明したが、これに限ることなく、本日の日付に該当するしあわせ度が入力済みである場合には、本日のしあわせ度と日記とを取得してもよい。また、過去１週間分に該当するしあわせ度と日記とを取得してもよいし、任意に変更可能である。
【００５０】
また、上記の実施の形態においては、ユーザのキーワードと商品のキーワードとは、それぞれ１つを抽出する例について説明したが、これに限ることなく、複数のキーワードを抽出してもよい。
【００５１】
また、上記の実施の形態においては、商品提案画面を作成する際に、しあわせ度および日記の内容からユーザに対するキーワードとなる単語を抽出する例について説明したが、これに限ることなく、日記の内容のみからユーザに対するキーワードとなる単語を抽出してもよいし、しあわせ度のみからユーザに対するキーワードとなる単語を抽出してもよい。
【００５２】
また、上記の実施の形態においては、図７に示すように、表示画面１４に商品の画像２３および商品に対するコメント２４が表示される例について説明したが、これに限ることなく、他の内容、例えば、ユーザのキーワードに応じて本日の占い等を表示させてもよい。
【００５３】
以上、図面を参照してこの考案の実施形態を説明したが、この考案は、図示した実施形態のものに限定されない。図示された実施形態に対して、この考案と同一の範囲内において、あるいは均等の範囲内において、種々の修正や変形を加えることが可能である。
【産業上の利用可能性】
【００５４】
この考案は、広告システムにおいて、有効に利用される。
【符号の説明】
【００５５】
１０  広告システム、１１  入力端末装置、１２  サーバ、１３  端末側制御部、１４  表示画面、１５  操作部、１６，２１  ネットワークＩＦ部、１７  サーバ側制御部、１８  第１の記憶部、１９  第２の記憶部、２０  第３の記憶部、２１  グラフ画像、２２  しあわせアドバイス、２３  商品の画像、２４  コメント。
【図１】
0003152026.tif 000003
【図２】
0003152026.tif 000004
【図３】
0003152026.tif 000005
【図４】
0003152026.tif 000006
【図５】
0003152026.tif 000007
【図６】
0003152026.tif 000008
【図７】
0003152026.tif 000009
【手続補正書】
【提出日】平成21年5月13日(2009.5.13)
【手続補正１】
【補正対象書類名】実用新案登録請求の範囲
【補正対象項目名】全文
【補正方法】変更
【補正の内容】
【実用新案登録請求の範囲】
【請求項１】
ユーザによって操作される入力端末装置と、前記入力端末装置とインターネットを介して接続可能なサーバとを備える広告システムであって、
前記入力端末装置は、
ユーザに関するものであって、ユーザの気分を示す度合を含むユーザのデータの入力を受け付ける操作部と、
前記操作部により受け付けた前記ユーザのデータを前記サーバに送信するネットワークＩ／Ｆ部と、
前記サーバから送信された画面を表示する表示画面とを含み、
前記サーバは、
前記ネットワークＩ／Ｆ部によって送信された前記ユーザのデータを保存する第１の記憶部と、
ユーザに提案する商品のデータを保存する第２の記憶部と、
前記第１の記憶部により保存した前記ユーザのデータから、ユーザに対するキーワードを抽出し、前記第２の記憶部により保存した前記商品のデータから、商品に対するキーワードを抽出するサーバ側制御部とを含み、
前記サーバ側制御部は、抽出した前記ユーザに対するキーワードと、前記商品に対するキーワードとが一致するか否かを判断し、一致したと判断した場合に、商品を提案するための商品提案画面し、
前記サーバ制御部が作成した前記商品提案画面を前記入力端末装置に送信するサーバ側ネットワークＩ/Ｆとを含む、広告システム。
【請求項２】
前記サーバ側制御部は、前記第１の記憶部により保存した前記ユーザのデータの中から前記ユーザの気分を示す度合を用いて、グラフ画像を作成する、請求項１に記載の広告システム。
【請求項３】
前記ユーザの気分の度合は、複数の段階で示されており、
前記操作部は、前記複数の段階の中から所望の段階を選択させる表示画面を含む、請求項１または２に記載の広告システム。
【請求項４】
インターネットを介して接続可能なサーバを備える広告システム用の入力端末装置であって、
前記サーバは、
前記ネットワークＩ／Ｆ部によって送信された前記ユーザのデータを保存する第１の記憶部と、
前記第１の記憶部により保存した前記ユーザのデータから、ユーザに対するキーワードを抽出するサーバ側制御部と、
ユーザに提案する商品のデータを保存する第２の記憶部と、
前記第２の記憶部により保存した前記商品のデータから、商品に対するキーワードを抽出するサーバ側制御部と、
前記サーバ側制御部は、抽出した前記ユーザに対するキーワードと、前記商品に対するキーワードとが一致するか否かを判断し、一致したと判断した場合に、商品を提案するための商品提案画面し、作成した前記商品提案画面を前記入力端末装置に送信するサーバ側ネットワークＩ/Ｆとを含み、
前記入力端末装置は、
ユーザに関するものであって、ユーザの気分を示す度合を含むユーザのデータの入力を受け付ける操作部と、
前記操作部により受け付けた前記ユーザのデータを前記サーバに送信するネットワークＩ／Ｆ部と、
前記サーバから送信された画面を表示する表示画面とを含む、入力端末装置。
【請求項５】
インターネットに接続されるサーバであって、
外部から送信され、ユーザに関するものであって、ユーザの気分を示す度合を含むユーザのデータを保存する第１の記憶部と、
ユーザに提案する商品のデータを保存する第２の記憶部と、
前記第１の記憶部により保存した前記ユーザのデータから、ユーザに対するキーワードを抽出し、前記第２の記憶部により保存した前記商品のデータから、商品に対するキーワードを抽出するサーバ側制御部とを含み、
前記サーバ側制御部は、前記ユーザに対するキーワードと、前記商品に対するキーワードとが一致するか否かを判断し、一致すると判断した場合に、商品を提案するための商品提案画面を作成し、
サーバ側制御部が作成した前記商品提案画面を外部に送信するサーバ側ネットワークＩ／Ｆとを含む、サーバ。